(57)【特許請求の範囲】
【請求項１】
遠隔操作端末による操作により，遠隔操作端末と受信端末との間に介在する制御サーバからデジタルコンテンツを受信端末に伝送する遠隔制御方法であって，
前記遠隔操作端末は，前記制御サーバに，少なくとも送信すべきコンテンツと送信先の受信端末とを指定する情報を送信して，指定した受信端末へのコンテンツの送信を依頼し，
前記制御サーバは，前記遠隔操作端末からの依頼により，指定された受信端末に指定されたコンテンツを送信するとともに，該受信端末の受信状況を前記遠隔操作端末に送信し，
前記遠隔操作端末は，前記制御サーバから前記受信端末の受信状況を受信して表示し，
かつ，前記遠隔操作端末は，前記制御サーバへの依頼の際に自端末の位置を検出し，自端末の位置情報を前記制御サーバへ送信し，
前記制御サーバは，前記遠隔操作端末の位置情報と指定された受信端末によって特定した受信端末の位置情報とから，その遠隔操作端末から受信端末までの経路を算出し，経路情報を前記遠隔操作端末に送信し，
前記遠隔操作端末は，受信した経路情報を単独でまたは前記受信状況とともに表示する
ことを特徴とする遠隔制御方法。
【請求項２】
請求項１記載の遠隔制御方法において，
前記制御サーバは，算出した前記遠隔操作端末から受信端末までの経路上にある施設の情報を所定のデータベースから検索し，検索した情報を前記遠隔操作端末に送信し，
前記遠隔操作端末は，受信した施設の情報を単独でまたは前記受信状況とともに表示する
ことを特徴とする遠隔制御方法。
【請求項３】
遠隔操作端末による操作により，遠隔操作端末と受信端末との間に介在する制御サーバからデジタルコンテンツを受信端末に伝送する遠隔制御方法であって，
前記遠隔操作端末は，前記制御サーバに，少なくとも，送信すべきコンテンツを指定する情報と，送信先の受信端末を指定する情報と，自端末の位置情報とを送信して，指定した受信端末へのコンテンツの送信を依頼し，
前記制御サーバは，前記遠隔操作端末からの依頼に対し，少なくとも前記遠隔操作端末の位置情報と指定された受信端末によって特定した受信端末の位置情報とから，前記遠隔操作端末の位置から前記受信端末の位置までの移動に必要な時間を算出し，算出した移動所要時間と指定されたコンテンツの容量とから移動所要時間内にコンテンツの送信が完了するように転送速度を設定し，指定された受信端末に指定されたコンテンツを前記設定した転送速度で送信し，該受信端末の受信状況を前記遠隔操作端末に送信し，
前記遠隔操作端末は，前記制御サーバから前記受信端末の受信状況を受信して表示する
ことを特徴とする遠隔制御方法。
【請求項４】
遠隔操作を行う遠隔操作端末と，該遠隔操作端末からの依頼により指定されたデジタルコンテンツを指定された受信端末に送信する制御サーバとを有する遠隔制御システムであって，
前記遠隔操作端末は，
送信すべきコンテンツを指定するコンテンツ指定手段と，
コンテンツ送信先の受信端末を指定する受信端末指定手段と，
前記制御サーバにコンテンツとその受信端末とを指定する情報を送信し，前記制御サーバから受信端末の受信状況を受信する遠隔操作通信手段と，
前記制御サーバから受信した受信端末の受信状況を表示する受信状況表示手段とを備え，
前記制御サーバは，
前記遠隔操作端末との通信を制御する遠隔操作通信制御手段と，
受信端末を管理し，前記遠隔操作端末から指定された受信端末を特定する受信端末特定手段と，
前記遠隔操作端末から指定された受信端末との通信を制御する受信端末通信制御手段と，
デジタルコンテンツを管理するコンテンツ管理手段と，
前記遠隔操作端末から指定されたデジタルコンテンツを指定された受信端末に送信するコンテンツ送信手段と，
該受信端末の受信状況を管理し，前記遠隔操作端末に受信状況を送信する受信端末状況管理手段とを備えるとともに，
前記遠隔操作端末は，さらに
自端末の位置を検出する位置検出手段と，
該位置検出手段によって検出した位置情報を，前記コンテンツとその受信端末とを指定する情報とともに前記制御サーバへ送信する手段と，
前記制御サーバから受信した経路情報を単独でまたは前記受信状況とともに表示する手段とを備え，
前記制御サーバは，
前記遠隔操作端末の位置情報と指定された受信端末によって特定した受信端末の位置情報とから，その遠隔操作端末から受信端末までの経路を算出し，前記遠隔操作端末へ送信する手段を備える
ことを特徴とする遠隔制御システム。
【請求項５】
請求項４記載の遠隔制御システムにおいて，
前記制御サーバは，
算出した前記遠隔操作端末から受信端末までの経路上にある施設の情報を所定のデータベースから検索し，検索した情報を前記遠隔操作端末に送信する手段を備え，
前記遠隔操作端末は，受信した施設の情報を単独でまたは前記受信状況とともに表示する手段を備える
ことを特徴とする遠隔制御システム。
【請求項６】
遠隔操作を行う遠隔操作端末と，該遠隔操作端末からの依頼により指定されたデジタルコンテンツを指定された受信端末に送信する制御サーバとを有する遠隔制御システムであって，
前記遠隔操作端末は，
送信すべきコンテンツを指定するコンテンツ指定手段と，
コンテンツ送信先の受信端末を指定する受信端末指定手段と，
自端末の位置を検出する位置検出手段と，
前記制御サーバに，少なくとも，送信すべきコンテンツを指定する情報と，送信先の受信端末を指定する情報と，自端末の位置情報とを送信し，前記制御サーバから受信端末の受信状況を受信する遠隔操作通信手段と，
前記制御サーバから受信した受信端末の受信状況を表示する受信状況表示手段とを備え，
前記制御サーバは，
前記遠隔操作端末との通信を制御する遠隔操作通信制御手段と，
受信端末を管理し，前記遠隔操作端末から指定された受信端末を特定する受信端末特定手段と，
前記遠隔操作端末から指定された受信端末との通信を制御する受信端末通信制御手段と，
デジタルコンテンツを管理するコンテンツ管理手段と，
少なくとも前記遠隔操作端末の位置情報と前記特定した受信端末の位置情報とから，前記遠隔操作端末の位置から前記受信端末の位置までの移動に必要な時間を算出する手段と，
算出された移動所要時間と指定されたコンテンツの容量とから移動所要時間内にコンテンツの送信が完了するように転送速度を設定する手段と，
前記遠隔操作端末から指定されたデジタルコンテンツを前記特定した受信端末に，前記設定した転送速度で送信するコンテンツ送信手段と，
該受信端末の受信状況を管理し，前記遠隔操作端末に受信状況を送信する受信端末状況管理手段とを備える
ことを特徴とする遠隔制御システム。
【請求項７】
指定されたデジタルコンテンツを指定された受信端末に送信する機能を持つ制御サーバとの通信によって，受信端末にコンテンツを送信するための遠隔操作機能を持つ遠隔操作端末であって，
送信すべきコンテンツを指定するコンテンツ指定手段と，
コンテンツ送信先の受信端末を指定する受信端末指定手段と，
前記制御サーバにコンテンツとその受信端末とを指定する情報を送信し，前記制御サーバから受信端末の受信状況を受信する遠隔操作通信手段と，
前記制御サーバから受信した受信端末の受信状況を表示する受信状況表示手段とを備えるとともに，
自端末の位置を検出する位置検出手段と，
該位置検出手段によって検出した位置情報を，前記コンテンツとその受信端末とを指定する情報とともに前記制御サーバへ送信する手段と，
前記制御サーバから受信した自端末から前記受信端末までの経路情報または経路情報とその経路上にある施設の情報とを，単独でまたは前記受信状況とともに表示する手段とを備える
ことを特徴とする遠隔操作端末。
【請求項８】
遠隔操作端末からの依頼により指定されたデジタルコンテンツを指定された受信端末に送信する制御サーバであって，
前記遠隔操作端末との通信を制御し，前記遠隔操作端末から少なくとも送信すべきコンテンツと送信先の受信端末とを指定したコンテンツの送信依頼を受信する遠隔操作通信制御手段と，
受信端末を管理し，前記遠隔操作端末から指定された受信端末を特定する受信端末特定手段と，
前記遠隔操作端末から指定された受信端末との通信を制御する受信端末通信制御手段と，
デジタルコンテンツを管理するコンテンツ管理手段と，
前記遠隔操作端末から指定されたデジタルコンテンツを指定された受信端末に送信するコンテンツ送信手段と，
該受信端末の受信状況を管理し，前記遠隔操作端末に受信状況を送信する受信端末状況管理手段とを備えるとともに，
前記遠隔操作端末からのコンテンツの送信依頼の受信時に，前記遠隔操作端末の位置情報を受信し，その位置情報と指定された受信端末によって特定した受信端末の位置情報とから，その遠隔操作端末から受信端末までの経路を算出し，前記遠隔操作端末へ送信する手段を備える
ことを特徴とする制御サーバ。
【請求項９】
請求項８記載の制御サーバにおいて，
算出した前記遠隔操作端末から受信端末までの経路上にある施設の情報を所定のデータベースから検索し，検索した情報を前記遠隔操作端末に送信する手段を備える
ことを特徴とする制御サーバ。
【請求項１０】
遠隔操作端末からの依頼により指定されたデジタルコンテンツを指定された受信端末に送信する制御サーバであって，
前記遠隔操作端末との通信を制御し，前記遠隔操作端末から，少なくとも，送信すべきコンテンツを指定する情報と，送信先の受信端末を指定する情報と，自端末の位置情報とを指定したコンテンツの送信依頼を受信する遠隔操作通信制御手段と，
受信端末を管理し，前記遠隔操作端末から指定された受信端末を特定する受信端末特定手段と，
前記遠隔操作端末から指定された受信端末との通信を制御する受信端末通信制御手段と，
デジタルコンテンツを管理するコンテンツ管理手段と，
少なくとも前記遠隔操作端末の位置情報と前記特定した受信端末の位置情報とから，前記遠隔操作端末の位置から前記受信端末の位置までの移動に必要な時間を算出する手段と，
算出された移動所要時間と指定されたコンテンツの容量とから移動所要時間内にコンテンツの送信が完了するように転送速度を設定する手段と，
前記遠隔操作端末から指定されたデジタルコンテンツを前記特定した受信端末に，前記設定した転送速度で送信するコンテンツ送信手段と，
該受信端末の受信状況を管理し，前記遠隔操作端末に受信状況を送信する受信端末状況管理手段とを備える
ことを特徴とする制御サーバ。
【請求項１１】
指定されたデジタルコンテンツを指定された受信端末に送信する機能を持つ制御サーバとの通信によって，受信端末にコンテンツを送信するための遠隔操作機能を持つ遠隔操作端末のコンピュータに実行させるための遠隔操作端末用プログラムであって，
前記コンピュータを，
送信すべきコンテンツを指定するコンテンツ指定手段と，
コンテンツ送信先の受信端末を指定する受信端末指定手段と，
前記制御サーバにコンテンツとその受信端末とを指定する情報を送信し，前記制御サーバから受信端末の受信状況を受信する遠隔操作通信手段と，
前記制御サーバから受信した受信端末の受信状況を表示する受信状況表示手段として機能させ，
かつ，自端末の位置を検出する位置検出手段と，
該位置検出手段によって検出した位置情報を，前記コンテンツとその受信端末とを指定する情報とともに前記制御サーバへ送信する手段と，
前記制御サーバから受信した自端末から前記受信端末までの経路情報または経路情報とその経路上にある施設の情報とを，単独でまたは前記受信状況とともに表示する手段として
機能させるための遠隔操作端末用プログラム。
【請求項１２】
指定されたデジタルコンテンツを指定された受信端末に送信する機能を持つ制御サーバとの通信によって，受信端末にコンテンツを送信するための遠隔操作機能を持つ遠隔操作端末のコンピュータに実行させるための遠隔操作端末用プログラムを記録したコンピュータ読み取り可能な記録媒体であって，
前記コンピュータを，
送信すべきコンテンツを指定するコンテンツ指定手段と，
コンテンツ送信先の受信端末を指定する受信端末指定手段と，
前記制御サーバにコンテンツとその受信端末とを指定する情報を送信し，前記制御サーバから受信端末の受信状況を受信する遠隔操作通信手段と，
前記制御サーバから受信した受信端末の受信状況を表示する受信状況表示手段として機能させ，
かつ，自端末の位置を検出する位置検出手段と，
該位置検出手段によって検出した位置情報を，前記コンテンツとその受信端末とを指定する情報とともに前記制御サーバへ送信する手段と，
前記制御サーバから受信した自端末から前記受信端末までの経路情報または経路情報とその経路上にある施設の情報とを，単独でまたは前記受信状況とともに表示する手段として
機能させるためのプログラムを記録した遠隔操作端末用プログラムの記録媒体。
【請求項１３】
遠隔操作端末からの依頼により指定されたデジタルコンテンツを指定された受信端末に送信する制御サーバのコンピュータに実行させるための制御サーバ用プログラムであって，
前記コンピュータを，
前記遠隔操作端末との通信を制御し，前記遠隔操作端末から少なくとも送信すべきコンテンツと送信先の受信端末とを指定したコンテンツの送信依頼を受信する遠隔操作通信制御手段と，
受信端末を管理し，前記遠隔操作端末から指定された受信端末を特定する受信端末特定手段と，
前記遠隔操作端末から指定された受信端末との通信を制御する受信端末通信制御手段と，
デジタルコンテンツを管理するコンテンツ管理手段と，
前記遠隔操作端末から指定されたデジタルコンテンツを指定された受信端末に送信するコンテンツ送信手段と，
該受信端末の受信状況を管理し，前記遠隔操作端末に受信状況を送信する受信端末状況管理手段として機能させ，
かつ，前記遠隔操作端末からのコンテンツの送信依頼の受信時に，前記遠隔操作端末の位置情報を受信し，その位置情報と指定された受信端末によって特定した受信端末の位置情報とから，その遠隔操作端末から受信端末までの経路を算出し，前記遠隔操作端末へ送信する手段として
機能させるための制御サーバ用プログラム。
【請求項１４】
遠隔操作端末からの依頼により指定されたデジタルコンテンツを指定された受信端末に送信する制御サーバのコンピュータに実行させるための制御サーバ用プログラムを記録したコンピュータ読み取り可能な記録媒体であって，
前記コンピュータを，
前記遠隔操作端末との通信を制御し，前記遠隔操作端末から少なくとも送信すべきコンテンツと送信先の受信端末とを指定したコンテンツの送信依頼を受信する遠隔操作通信制御手段と，
受信端末を管理し，前記遠隔操作端末から指定された受信端末を特定する受信端末特定手段と，
前記遠隔操作端末から指定された受信端末との通信を制御する受信端末通信制御手段と，
デジタルコンテンツを管理するコンテンツ管理手段と，
前記遠隔操作端末から指定されたデジタルコンテンツを指定された受信端末に送信するコンテンツ送信手段と，
該受信端末の受信状況を管理し，前記遠隔操作端末に受信状況を送信する受信端末状況管理手段として機能させ，
かつ，前記遠隔操作端末からのコンテンツの送信依頼の受信時に，前記遠隔操作端末の位置情報を受信し，その位置情報と指定された受信端末によって特定した受信端末の位置情報とから，その遠隔操作端末から受信端末までの経路を算出し，前記遠隔操作端末へ送信する手段として
機能させるためのプログラムを記録した制御サーバ用プログラムの記録媒体。
【請求項１５】
遠隔操作端末からの依頼により指定されたデジタルコンテンツを指定された受信端末に送信する制御サーバのコンピュータに実行させるための制御サーバ用プログラムであって，
前記コンピュータを，
前記遠隔操作端末との通信を制御し，前記遠隔操作端末から，少なくとも，送信すべきコンテンツを指定する情報と，送信先の受信端末を指定する情報と，自端末の位置情報とを指定したコンテンツの送信依頼を受信する遠隔操作通信制御手段と，
受信端末を管理し，前記遠隔操作端末から指定された受信端末を特定する受信端末特定手段と，
前記遠隔操作端末から指定された受信端末との通信を制御する受信端末通信制御手段と，
デジタルコンテンツを管理するコンテンツ管理手段と，
少なくとも前記遠隔操作端末の位置情報と前記特定した受信端末の位置情報とから，前記遠隔操作端末の位置から前記受信端末の位置までの移動に必要な時間を算出する手段と，
算出された移動所要時間と指定されたコンテンツの容量とから移動所要時間内にコンテンツの送信が完了するように転送速度を設定する手段と，
前記遠隔操作端末から指定されたデジタルコンテンツを前記特定した受信端末に，前記設定した転送速度で送信するコンテンツ送信手段と，
該受信端末の受信状況を管理し，前記遠隔操作端末に受信状況を送信する受信端末状況管理手段として
機能させるための制御サーバ用プログラム。
【請求項１６】
遠隔操作端末からの依頼により指定されたデジタルコンテンツを指定された受信端末に送信する制御サーバのコンピュータに実行させるための制御サーバ用プログラムを記録したコンピュータ読み取り可能な記録媒体であって，
前記コンピュータを，
前記遠隔操作端末との通信を制御し，前記遠隔操作端末から，少なくとも，送信すべきコンテンツを指定する情報と，送信先の受信端末を指定する情報と，自端末の位置情報とを指定したコンテンツの送信依頼を受信する遠隔操作通信制御手段と，
受信端末を管理し，前記遠隔操作端末から指定された受信端末を特定する受信端末特定手段と，
前記遠隔操作端末から指定された受信端末との通信を制御する受信端末通信制御手段と，
デジタルコンテンツを管理するコンテンツ管理手段と，
少なくとも前記遠隔操作端末の位置情報と前記特定した受信端末の位置情報とから，前記遠隔操作端末の位置から前記受信端末の位置までの移動に必要な時間を算出する手段と，
算出された移動所要時間と指定されたコンテンツの容量とから移動所要時間内にコンテンツの送信が完了するように転送速度を設定する手段と，
前記遠隔操作端末から指定されたデジタルコンテンツを前記特定した受信端末に，前記設定した転送速度で送信するコンテンツ送信手段と，
該受信端末の受信状況を管理し，前記遠隔操作端末に受信状況を送信する受信端末状況管理手段として
機能させるためのプログラムを記録した制御サーバ用プログラムの記録媒体。
【発明の詳細な説明】
【０００１】
【発明の属する技術分野】
本発明は，あるユーザが外出先でデジタルコンテンツのプレビューを視聴した後，ネットワークに接続可能な携帯機器を使い，そのコンテンツ全体を自宅などの端末に送信するように制御する遠隔制御システムに関するものである。
【０００２】
【従来の技術】
外出時に街角で気になった映像や音楽のプレビューといったプロモーション情報をもとに，その本編となるコンテンツ全体を自宅の端末に蓄積させておくためには，その場でそのプロモーション情報を控えておき，自宅に戻ってからプロモーション情報をもとに受信アクセスを実行し，その時点から受信を開始しなければならなかった。
【０００３】
また，携帯電話を使って，これから放送されるテレビ番組をビデオデッキに録画予約させるといったサービスもあるが，これはこれから放送される番組コンテンツに限られていた。
【０００４】
【発明が解決しようとする課題】
ユーザが自宅に戻ってしまうと，外出先で得たプロモーション情報への興味が薄れてしまい，実際にアクセスが行われない可能性があり，コンテンツを提供しようとするプロバイダにとって好ましくないことがある。また，プロモーション情報への興味があって，ユーザが受信アクセスしようとすると，その時点で受信を開始するため，特にコンテンツのサイズが大きいような場合に受信に時間を要してしまい，利用するまでに時間がかかることがある。このため，ユーザにとって受信完了までの待ち時間が無駄になることがある。
【０００５】
本発明は上記問題点の解決を図り，外出時にプロモーション情報に出会ったような場合に，その時点で自宅端末へコンテンツ本編の送信を開始し，帰宅してから直ちにそのコンテンツ本編を自宅端末で視聴可能にすることを目的とする。
【０００６】
【課題を解決するための手段】
上記課題を解決するために本発明に係るシステムは，外出先に持ち歩いている携帯端末から，送信したいコンテンツと送信先を指定し，制御サーバへ送信を依頼する。依頼を受けた制御サーバは，指定された送信先の端末と接続し，指定されたコンテンツを送信することによって，ユーザが帰宅するよりも先に受信アクセスを開始することを可能とする。
【０００７】
また，コンテンツサイズに対する受信の割合を，受信状況として携帯端末に定期的に送信する。これにより，ユーザを安心させることができる。
【０００８】
また，コンテンツを利用するユーザが自宅に帰るまでの時間を，携帯端末の位置と自宅の位置と移動手段情報を使って算出し，ユーザが帰宅するまでに送信が完了するように転送速度を設定する。これにより，伝送リソースを節約することができる。例えば，移動手段が鉄道であれば，その時刻の駅から駅までの最短の乗り換え時間から概算する。自動車であれば，携帯端末と自宅の距離を算出し，自動車の平均速度（例えば３０ｋｍ／時）で概算する。最短での帰宅所要時間を算出できれば良いので，精度は低くてもかまわない。このとき得られた帰宅経路を受信状況と同様に携帯端末に送信すると，ユーザにとっても有益な情報となり得る。
【０００９】
さらに，帰宅経路にある店などの広告情報も受信状況と併せて送信する。こうすることにより，広告主にとってもメリットがある。
【００１０】
以上の手段は，携帯電話等の遠隔操作端末，制御サーバ，受信端末がそれぞれ備えるコンピュータとソフトウェアプログラムとによって実現されるが，そのプログラムは，コンピュータが読み取り可能な可搬媒体メモリ，半導体メモリ，ハードディスク等の適当な記録媒体に格納することができる。
【００１１】
【発明の実施の形態】
〔実施の形態１〕
図１は，第１の実施の形態の構成図，図２は，第１の実施の形態の処理フローチャートである。
【００１２】
本システムは，遠隔操作端末１０と，制御サーバ２０と，受信端末３０とから構成される。制御サーバ２０から受信端末３０にコンテンツを送信することは，一般に「ダウンロード」と呼ばれており，以下では，このコンテンツの送信をダウンロードという。
【００１３】
遠隔操作端末１０は，ユーザが外出時に携帯し，送信するコンテンツや送信先を指定する装置であって，一般にはインターネットに接続可能な携帯端末あるいは携帯電話である。以下，携帯電話１０として説明する。
【００１４】
携帯電話１０は，制御サーバ２０との通信を行う遠隔操作通信手段１１，自端末の位置をＧＰＳ等により検出する位置検出手段１２，受信端末３０にダウンロードしたいコンテンツを指定するコンテンツ指定手段１３，ダウンロード先の受信端末３０を指定する受信端末指定手段１４，受信端末３０での受信状況を制御サーバ２０から取得する受信端末状況取得手段１５，取得した受信状況を表示する受信状況表示手段１６を持つ。
【００１５】
制御サーバ２０は，携帯電話１０および受信端末３０とインターネット経由で接続可能な位置に存在するコンピュータサーバである。制御サーバ２０は，携帯電話１０との通信を制御する遠隔操作通信制御手段２１，携帯電話１０の位置を特定する遠隔操作端末位置特定手段２２，受信端末３０の位置を管理する受信端末位置管理手段２３，受信端末３０を特定する受信端末特定手段２４，指定されたコンテンツを受信端末３０に送信するコンテンツ送信手段２５，送信するコンテンツを管理するコンテンツ管理手段２６，携帯電話１０の位置から受信端末３０までの経路を算出する経路算出手段２７，受信端末３０でのコンテンツの受信状況を管理する受信端末状況管理手段２８，受信端末３０との通信を制御する受信端末通信制御手段２９，店舗，レストラン，映画館，デパートその他の各種施設の案内情報や広告情報を格納している施設情報データベース（ＤＢ）２１０を持つ。
【００１６】
受信端末３０は，ユーザが自宅等に保有するパソコンやセットトップボックス（ＳＴＢ）であって，インターネットを経由して制御サーバ２０と接続可能な端末である。受信端末３０は，受信端末３０の位置を制御サーバ２０に登録する受信端末位置登録手段３２と，制御サーバ３０から送信されたコンテンツを受信するコンテンツ受信手段３３と，受信したコンテンツを格納するコンテンツ格納手段３４と，コンテンツの受信状況を取得し制御サーバ２０へ通知する受信状況取得手段３５とを持つ。
【００１７】
ユーザは，街頭や店などの外出先で気になったデジタルコンテンツを自宅の受信端末３０に送信したい場合，コンテンツ指定手段１３によりそのコンテンツを特定するためのＩＤ情報を携帯電話１０に取得する。例えば，広告に記載されているコンテンツのＩＤ番号を携帯電話１０に入力するといった方法でよい（ステップＳ１）。
【００１８】
次に，ダウンロード先である自宅の受信端末３０を，受信端末指定手段１４により指定する。指定の方法としては，受信端末３０のＩＰアドレスやＩＰアドレスに対応の取れる名前，あるいは制御サーバ２０に登録している受信端末３０のＩＤを入力する。また，ユーザの操作する携帯電話１０のＩＤを用いて，制御サーバ２０側でユーザを特定し，ダウンロードとして指定可能な受信端末３０のリストを携帯電話１０に提示し，その中から選ぶという方法もあり得る（ステップＳ２）。
【００１９】
ユーザからの指示によりコンテンツとダウンロード先を決定すると，位置検出手段１２によりユーザの携帯電話１０の位置情報を取得し，それらの情報を遠隔操作通信手段１１を使って制御サーバ２０に接続し，コンテンツのＩＤ情報，ダウンロード先，位置情報を送信する。また，このとき自宅までの移動交通手段をユーザからの入力により取得し同時に送信する。移動交通手段としては，電車，自動車，徒歩などを選ぶ。なお，この移動交通手段の入力および送信の処理は，システムに応じて省略した実施も可能である（ステップＳ３）。
【００２０】
制御サーバ２０は，遠隔操作通信制御手段２１を使って，携帯電話１０から送信されたデータを受信する。遠隔操作端末位置特定手段２２では，携帯電話１０の位置情報を取得し，携帯電話１０すなわちユーザのいる住所や道路位置，駅路線等を特定する。受信端末位置管理手段２３では，携帯電話１０で指定されたダウンロード先情報から予め登録されている受信端末３０の設置場所，すなわち自宅住所をデータベースなどから取得する。
【００２１】
経路算出手段２７では，ユーザのいる場所から自宅まで帰路を移動交通手段により探索し，現在位置から帰宅までの経路を算出する（ステップＳ４）。なお，携帯電話１０から移動交通手段が通知されなかった場合には，制御サーバ２０が携帯電話１０と受信端末３０の位置情報から最適と予想される移動交通手段を自動選択して経路の算出に用いる。
【００２２】
経路算出手段２７が算出した経路を遠隔操作通信制御手段２１を使って，携帯電話１０に通知する（ステップＳ５）。算出した経路の通知は，後述するステップＳ１３で受信状況を携帯電話１０に通知するときに行ってもよい。
【００２３】
また，コンテンツ管理手段２６では，ユーザの指定したコンテンツのＩＤ情報を用いて登録されているデータベースなどからコンテンツの実体の場所を取得する。例えば，制御サーバ２０に接続された磁気記録媒体あるいはネットワーク上のＵＲＬ（Uniform Resource Locator）を取得する（ステップＳ６）。
【００２４】
受信端末特定手段２４では，指定されたダウンロード先を取得し，携帯電話１０から入力された情報をＩＰアドレスに変換する。このとき，当該ユーザがその受信端末３０にダウンロードする権限があるかどうかなどのチェックも同時に行うこともできる（ステップＳ７）。
【００２５】
コンテンツ送信手段２５では，指定されたダウンロード先のＩＰアドレスを使って受信端末通信制御手段２９を介して受信端末３０と接続し，指定されたコンテンツを実体のある場所から受信端末３０に送信する（ステップＳ８）。
【００２６】
受信端末３０では，受信端末通信手段３１を介して制御サーバ２０と接続し，送信されているデータを受信する。ダウンロードされたコンテンツはコンテンツ受信手段３３により管理され，磁気記録媒体などのコンテンツ格納手段３４において格納される（ステップＳ１０）。また，受信端末３０の受信状況取得手段３５で，コンテンツ格納手段３４に蓄積されているコンテンツの受信容量を取得し，制御サーバ２０へ送信する（ステップＳ１１）。
【００２７】
制御サーバ２０では，受信端末状況管理手段２８でその受信容量を取得し，現在送信中のコンテンツの全体容量に対する受信容量により受信割合を算出する。なお，受信端末３０から制御サーバ２０へ受信容量を送信するタイミングと，携帯電話１０へ通知するタイミングは任意であるが，前者のタイミングは１００Ｋバイトなどの容量に応じて送信し，携帯電話１０への通知は受信割合が５０％といったように受信割合に応じて通知する方法が考えられる。
【００２８】
同時に，遠隔操作端末位置特定手段２２は，携帯電話１０の位置情報を使って，予め施設情報データベース２１０に登録されている周辺の施設や店の案内（以下，広告情報という）を探索する（ステップＳ１２）。
【００２９】
遠隔操作通信制御手段２１は，受信端末状況管理手段２８が算出した受信割合を受信状況として，それに遠隔操作端末位置特定手段２２によって探索した広告情報を付加して携帯電話１０に送信する（ステップＳ１３）。携帯電話１０の受信端末状況取得手段１５は，制御サーバ２０から広告情報が付加された受信状況を受信すると，それを受信状況表示手段１６によりユーザに表示する。以上のステップＳ１０〜Ｓ１３の処理をダウンロードが完了するまで繰り返す（ステップＳ９）。
【００３０】
以上により，携帯電話１０によって指定されたコンテンツを指定された自宅の受信端末３０にダウンロードすることができる。また，コンテンツの受信状況を携帯電話１０に通知することが可能である。さらに，コンテンツ受信状況を携帯電話１０に通知する際に，コンテンツの詳細や予告編などの情報も付加して通知してもよい。特に，施設情報データベース２１０から最寄あるいは帰宅経路上の施設を携帯電話１０に通知し，施設として店の広告を表示したり，割引きクーポンなどを表示すると，これから通る経路なのでユーザにとっても利用しやすいというメリットがある。
【００３１】
上記説明では，制御サーバ２０が受信端末３０からコンテンツの受信量を受信し，受信割合を求めて受信状況を把握する例を説明した。これは受信端末３０で確実に受信しているというダウンロードの進捗状況を制御サーバ２０が把握することを目的としている。受信状況を簡易に把握する方法として，制御サーバ２０がコンテンツの送信量を把握し，送信割合から受信端末３０での受信状況を把握するという方法を用いることもできる。
【００３２】
〔実施の形態２〕
図３は，第２の実施の形態の構成図，図４は，第２の実施の形態の処理フローチャートである。
【００３３】
本システムも，遠隔操作端末（携帯電話）１０と，制御サーバ２０と，受信端末３０とから構成される。なお，図３において，図１と同じ機能を有するものは同じ符号で表している。第２の実施の形態では，制御サーバ２０は，さらに携帯電話１０のユーザが現在地から自宅に帰るまでの経路と予想移動時間を算出する経路・移動時間算出手段２１１，算出した移動時間をもとにコンテンツの転送速度を決定する転送速度決定手段２１２を持つ。
【００３４】
ユーザは，街頭や店などの外出先で気になったデジタルコンテンツを自宅の受信端末３０に送信したい場合，コンテンツ指定手段１３によりそのコンテンツを特定するためのＩＤ情報を携帯電話１０に取得する。例えば，広告に記載されているコンテンツのＩＤ番号を携帯電話１０に入力するといった方法でよい（ステップＳ２１）。
【００３５】
次に，ダウンロード先である自宅の受信端末３０を，受信端末指定手段１４により指定する。指定の方法としては，受信端末３０のＩＰアドレスやＩＰアドレスに対応の取れる名前，あるいは制御サーバ２０に登録している受信端末３０のＩＤを入力する。また，ユーザの操作する携帯電話１０のＩＤを用いて，制御サーバ２０側でユーザを特定し，ダウンロードとして指定可能な受信端末３０のリストを携帯電話１０に提示し，その中から選ぶという方法もあり得る（ステップＳ２２）。
【００３６】
ユーザからの指示によりコンテンツとダウンロード先を決定すると，位置検出手段１２によりユーザの携帯電話１０の位置情報を取得し，それらの情報を遠隔操作通信手段１１を使って制御サーバ２０に接続し送信する。また，このとき自宅までの移動交通手段をユーザからの入力により取得し同時に送信する。移動交通手段としては，電車，自動車，徒歩などを選ぶ（ステップＳ２３）。なお，第１の実施の形態と同様に，移動交通手段の指定を省略した実施も可能である。
【００３７】
制御サーバ２０では，遠隔操作通信制御手段２１を使って，携帯電話１０から送信されたデータを受信する。コンテンツ管理手段２６では，ユーザの指定したコンテンツのＩＤ情報を用いて登録されているデータベースなどからコンテンツの実体の場所を取得する。例えば，制御サーバ２０に接続された磁気記録媒体あるいはネットワーク上のＵＲＬ（Uniform Resource Locator）を取得する（ステップＳ２４）。
【００３８】
受信端末特定手段２４では，指定されたダウンロード先を取得し，携帯電話１０から入力された情報をＩＰアドレスに変換する。このとき，当該ユーザがその受信端末３０にダウンロードする権限があるかどうかなどのチェックも同時に行うこともできる（ステップＳ２５）。
【００３９】
遠隔操作端末位置特定手段２２では，携帯電話１０の位置と移動交通手段の情報を取得し，携帯電話１０すなわちユーザのいる住所や道路位置，駅路線等を特定する。受信端末位置管理手段２３では，携帯電話１０で指定されたダウンロード先情報から予め登録されている受信端末３０の設置場所，すなわち自宅住所をデータベースなどから取得する。
【００４０】
経路・移動時間算出手段２１１では，ユーザのいる場所から自宅まで帰路を移動交通手段により探索し，現在位置から帰宅までの経路と所要時間を算出する。所要時間の算出は，ユーザが帰宅するまでにダウンロードを完了していることを目的とするため，帰宅するよりも先に完了することは問題なく，時間算出の精度も厳密である必要はない（ステップＳ２６）。
【００４１】
転送速度決定手段２１２では，この所要時間内にダウンロードを完了する転送速度をコンテンツの容量から算出し，ダウンロードの転送速度を設定する（ステップＳ２７）。
【００４２】
コンテンツ送信手段２５では，指定されたダウンロード先のＩＰアドレスを使い，受信端末通信制御手段２９を介して受信端末３０と接続し，指定されたコンテンツを設定された転送速度で受信端末３０に送信する（ステップＳ２８）。
【００４３】
受信端末３０では，受信端末通信手段３１を介して制御サーバ２０と接続し，送信されているデータを受信する。ダウンロードされたコンテンツはコンテンツ受信手段３３により管理され，磁気記録媒体などのコンテンツ格納手段３４において格納される（ステップＳ３０）。また，受信端末３０の受信状況取得手段３５で，コンテンツ格納手段３４に蓄積されているコンテンツの受信容量を取得し，制御サーバ２０へ送信する（ステップＳ３１）。
【００４４】
制御サーバ２０では，受信端末状況管理手段２８でその受信容量を取得し，現在送信中のコンテンツの全体容量に対する受信容量により受信割合を算出する。なお，受信端末３０から制御サーバ２０へ受信容量を送信するタイミングと，携帯電話１０へ通知するタイミングは任意であるが，前者のタイミングは１００Ｋバイトなどの容量に応じて送信し，携帯電話１０への通知は受信割合が５０％といったように受信割合に応じて通知する方法が考えられる。
【００４５】
遠隔操作通信制御手段２１は，受信端末状況管理手段２８が算出した受信割合を受信状況として携帯電話１０に送信する（ステップＳ３２）。携帯電話１０の受信端末状況取得手段１５は，制御サーバ２０から受信状況を受信すると，受信状況表示手段１６によりユーザに表示する。以上のステップＳ３０〜Ｓ３２の処理をダウンロードが完了するまで繰り返す（ステップＳ２９）。
【００４６】
以上により，ユーザがコンテンツを利用する時点，すなわち帰宅するまでにダウンロードを完了させるとともに，伝送リソースを節約した効率的な伝送が可能となる。
【００４７】
この実施の形態においても，第１の実施の形態に示したコンテンツ受信状況の通知とともに，コンテンツの詳細や予告編などの付加情報通知，周辺情報通知などの手段を組み合わせることが可能である。
【００４８】
また，この実施の形態においても，制御サーバ２０における受信端末３０での受信状況の把握を，受信端末３０からの受信量の通知ではなく，受信端末３０への送信量に基づいて行うことも可能である。
【００４９】
【発明の効果】
以上説明したように，本発明によれば，ユーザは，外出先で出会ったコンテンツを，気に入ったその場で，そのコンテンツを利用する自宅へ送信するといった制御が可能となり，自宅に帰ってからアクセスする手間や受信のための待ち時間をなくすことができる。また，その場所と自宅との移動時間を算出することで，転送速度を必要最低限に抑えた伝送リソースの節約や，帰宅経路に関する各種案内を提供することができるようになる。
【図面の簡単な説明】
【図１】本発明の第１の実施の形態の構成図である。
【図２】第１の実施の形態の処理フローチャートである。
【図３】本発明の第２の実施の形態の構成図である。
【図４】第２の実施の形態の処理フローチャートである。
【符号の説明】
１０    遠隔操作端末（携帯電話）
１１    遠隔操作通信手段
１２    位置検出手段
１３    コンテンツ指定手段
１４    受信端末指定手段
１５    受信端末状況取得手段
１６    受信状況表示手段
２０    制御サーバ
２１    遠隔操作通信制御手段
２２    遠隔操作端末位置特定手段
２３    受信端末位置管理手段
２４    受信端末特定手段
２５    コンテンツ送信手段
２６    コンテンツ管理手段
２７    経路算出手段
２８    受信端末状況管理手段
２９    受信端末通信制御手段
２１０  施設情報データベース（ＤＢ）
２１１  経路・移動時間算出手段
２１２  転送速度決定手段
３０    受信端末（ＳＴＢ）
３１    受信端末通信手段
３２    受信端末位置登録手段
３３    コンテンツ受信手段
３４    コンテンツ格納手段
３５    受信状況取得手段
【図１】
0003819762.tif 000002
【図２】
0003819762.tif 000003
【図３】
0003819762.tif 000004
【図４】
0003819762.tif 000005